【手続補正書】
【提出日】平成16年5月6日(2004.5.6)
【手続補正１】
【補正対象書類名】明細書
【補正対象項目名】特許請求の範囲
【補正方法】変更
【補正の内容】
【特許請求の範囲】
【請求項１】
ネットワークに接続された第１の情報処理装置、および前記第１の情報処理装置に情報を送信する第２の情報処理装置から構成される情報処理システムにおいて、
前記第１の情報処理装置は、
前記第２の情報処理装置より、前記情報を受信する受信手段を備え、
前記第２の情報処理装置は、
前記第１の情報処理装置に送信する前記情報の重要度に対応して表示される画像を記憶する記憶手段と、
前記第１の情報処理装置に前記情報を送信する場合、前記記憶手段より、送信する前記情報の前記重要度に対応した前記画像を読み出す読み出し手段と、
前記読み出し手段により読み出された前記画像の表示を制御する表示制御手段と、
前記情報を前記第１の情報処理装置に送信する送信手段と
を備えることを特徴とする情報処理システム。
【請求項２】
他の情報処理装置に送信する情報の重要度に対応して表示される画像を記憶する記憶手段と、
前記他の情報処理装置に前記情報を送信する場合、前記記憶手段より、送信する前記情報の前記重要度に対応した前記画像を読み出す読み出し手段と、
前記読み出し手段により読み出された前記画像の表示を制御する表示制御手段と、
前記情報を前記他の情報処理装置に送信する送信手段と
を備えることを特徴とする情報処理装置。
【請求項３】
前記他の情報処理装置より、前記情報の要求を受信する受信手段をさらに備え、
前記読み出し手段は、前記受信手段により前記情報の要求が受信された場合、
要求された前記情報の前記重要度に対応した前記画像を読み出す
ことを特徴とする請求項２に記載の情報処理装置。
【請求項４】
前記情報は、ユーザの氏名、住所、電話番号、クレジットカード番号、およびメールアドレスのうち、少なくとも１つ以上の情報を含む
ことを特徴とする請求項２に記載の情報処理装置。
【請求項５】
ユーザからの前記情報の入力を受け付ける受付手段をさらに備え、
前記記憶手段は、前記受付手段により前記入力が受け付けられた前記情報を記憶する
ことを特徴とする請求項２に記載の情報処理装置。
【請求項６】
前記記憶手段は、１以上の前記情報のそれぞれに対応する前記重要度、および前記重要度に対応する前記画像を記憶し、
前記読み出し手段は、送信する１以上の前記情報の前記重要度のうち、最も高い前記重要度に対応する前記画像を読み出す
ことを特徴とする請求項２に記載の情報処理装置。
【請求項７】
１以上の前記情報のそれぞれに対応する前記重要度を設定する設定手段をさらに備え、
前記記憶手段は、前記設定手段により設定された前記重要度を、前記情報と対応付けて記憶する
ことを特徴とする請求項６に記載の情報処理装置。
【請求項８】
他の情報処理装置に情報を送信する場合に、送信する情報の重要度に対応して表示される画像が記憶された記憶装置から、送信する前記情報の前記重要度に対応した前記画像を読み出す読み出しステップと、
前記読み出しステップの処理により読み出された前記画像の表示を制御する表示制御ステップと、
前記情報を前記他の情報処理装置に送信する送信ステップと
を含むことを特徴とする情報処理方法。
【請求項９】
他の情報処理装置に情報を送信する場合に、送信する情報の重要度に対応して表示される画像が記憶された記憶装置から、送信する前記情報の前記重要度に対応した前記画像の読み出しを制御する読み出し制御ステップと、
前記読み出し制御ステップの処理により読み出された前記画像の表示を制御する表示制御ステップと、
前記情報の前記他の情報処理装置への送信を制御する送信制御ステップと
を情報処理装置を制御するコンピュータに実行させることを特徴とするプログラム。
【手続補正２】
【補正対象書類名】明細書
【補正対象項目名】００１２
【補正方法】変更
【補正の内容】
【００１２】
【課題を解決するための手段】
本発明の情報処理システムは、第１の情報処理装置は、第２の情報処理装置より、情報を受信する受信手段を備え、第２の情報処理装置は、第１の情報処理装置に送信する情報の重要度に対応して表示される画像を記憶する記憶手段と、第１の情報処理装置に情報を送信する場合、記憶手段より、送信する情報の重要度に対応した画像を読み出す読み出し手段と、読み出し手段により読み出された画像の表示を制御する表示制御手段と、情報を第１の情報処理装置に送信する送信手段とを備えることを特徴とする。
【手続補正３】
【補正対象書類名】明細書
【補正対象項目名】００１３
【補正方法】変更
【補正の内容】
【００１３】
本発明の情報処理装置は、他の情報処理装置に送信する情報の重要度に対応して表示される画像を記憶する記憶手段と、他の情報処理装置に情報を送信する場合、記憶手段より、送信する情報の重要度に対応した画像を読み出す読み出し手段と、読み出し手段により読み出された画像の表示を制御する表示制御手段と、情報を他の情報処理装置に送信する送信手段とを備えることを特徴とする。
【手続補正４】
【補正対象書類名】明細書
【補正対象項目名】００１４
【補正方法】変更
【補正の内容】
【００１４】
前記他の情報処理装置より、前記情報の要求を受信する受信手段をさらに設けるようにし、前記読み出し手段には、受信手段により前記情報の要求が受信された場合、要求された前記情報の重要度に対応した前記画像を読み出すようにさせることができる。
【手続補正５】
【補正対象書類名】明細書
【補正対象項目名】００１９
【補正方法】変更
【補正の内容】
【００１９】
本発明の情報処理方法は、他の情報処理装置に情報を送信する場合に、送信する情報の重要度に対応して表示される画像が記憶された記憶装置から、送信する情報の重要度に対応した画像を読み出す読み出しステップと、読み出しステップの処理により読み出された画像の表示を制御する表示制御ステップと、情報を他の情報処理装置に送信する送信ステップとを含むことを特徴とする。
【手続補正６】
【補正対象書類名】明細書
【補正対象項目名】００２０
【補正方法】変更
【補正の内容】
【００２０】
本発明のプログラムは、他の情報処理装置に情報を送信する場合に、送信する情報の重要度に対応して表示される画像が記憶された記憶装置から、送信する情報の重要度に対応した画像の読み出しを制御する読み出し制御ステップと、読み出し制御ステップの処理により読み出された画像の表示を制御する表示制御ステップと、情報の他の情報処理装置への送信を制御する送信制御ステップとを情報処理装置を制御するコンピュータに実行させることを特徴とする。
【手続補正７】
【補正対象書類名】明細書
【補正対象項目名】００２１
【補正方法】変更
【補正の内容】
【００２１】
本発明の情報処理システムにおいては、第１の情報処理装置では、第２の情報処理装置より、情報が受信される。また、第２の情報処理装置では、第１の情報処理装置に送信する情報の重要度に対応して表示される画像が記憶され、第１の情報処理装置に情報を送信する場合、送信する情報の重要度に対応した画像が読み出され、読み出された画像の表示が制御される。そして、情報が第１の情報処理装置に送信される。
【手続補正８】
【補正対象書類名】明細書
【補正対象項目名】００２２
【補正方法】変更
【補正の内容】
【００２２】
本発明の情報処理装置および方法、並びにプログラムにおいては、他の情報処理装置に送信する情報の重要度に対応して表示される画像が、予め記憶されている。そして、他の情報処理装置に情報を送信する場合、送信する情報の重要度に対応した画像が読み出され、読み出された画像の表示が制御され、情報が他の情報処理装置に送信される。